(57)【要約】【課題】歴史的な観光地に関して、地図帳の読者が、現在の地図上の特定の地点に、歴史上の所定の時代には、どのような建築物等が存在していたかを対比し、直感的に対比結果を把握でき、読者に所定の時代に疑似旅行したような気分を生じさせ得る地図帳を提供することを目的とする。【解決手段】所定の時代の古地図が記載された古地図ページの上に半透明の紙に古地図と同じ縮尺で現代の地図が印刷された現代地図ページが重ねられた地図帳において、古地図ページにおいては道路等については線を用いて記載し、これら以外の事物については線を用いずに色で塗りわけて表示し、現代地図ページについては半透明の紙に、道路等については線を用いて記載し、それ以外の事物については線を用いずに色で塗りわけて記載し、地図帳を見開き状態にしたときには、左右のページとも、古地図ページのうえに、現代地図ページが、対応する地点同士が重なるように地図帳を構成する。【選択図】図１
2008256807.tif 000002
【特許請求の範囲】
【請求項１】
所定の時代の古地図が印刷されたページ（以下「古地図ページ」ともいう）と半透明の紙に前記古地図と同じ縮尺で現代の地図が印刷されたページ（以下「現代地図ページ」ともいう）が重ねられた状態で綴じられた地図帳であって、
前記古地図ページにおいては道路、線路、川、湖、池（以下「道路等」ともいう）は線を用いて印刷され、前記道路等以外の事物（以下「特定事物」ともいう）については線を用いずに色で塗りわけて印刷され、
前記現代地図ページは半透明の紙に、前記道路等は線を用いて印刷され、前記特定事物については線を用いずに色で塗りわけて印刷され、
前記地図帳を見開き状態にしたときには、左右のページとも、前記古地図ページのうえに、前記現代地図ページが、前記古地図ページと前記現代地図ページの対応する地点同士が重なるように綴じられ、
前記現代地図の特定の地点が、前記所定の時代の前記古地図のどの地点に対応するかが容易に判るように構成されていることを特徴とする地図帳。
【請求項２】
請求項１に記載の地図帳において、前記現代地図ページ上の前記特定事物を塗り分けるために使用する色は薄い色であることを特徴とする地図帳。
【請求項３】
請求項１または２に記載の地図帳において、前記現代地図ページ上の前記道路等に含まれる川、湖、池については、薄い水色によって塗り分けて印刷されていることを特徴とする地図帳。
【請求項４】
請求項１乃至３のいずれかに記載の地図帳において、
前記古地図ページ及び前記現代地図ページの双方に、位置合わせマークが印刷され、前記古地図ページと前記現代地図ページとを、重ねたときに、前記位置合わせマークをあわせることにより、前記古地図ページと前記現代地図ページとにおいて、対応する地点が重なるように構成されていることを特徴とする地図帳。
【請求項５】
請求項１乃至４のいずれかに記載の地図帳において、
前記現代地図ページ上に前記道路等を印刷するのに用いる線はスミ網５０％以上、８０％以下の濃度で印刷することを特徴とする地図帳。
【請求項６】
請求項１乃至５のいずれかに記載の地図帳において、
前記古地図ページ上に前記道路等を印刷するのに用いる線はスミ網９０％以上、１００％以下の濃度で印刷することを特徴とする地図帳。
【請求項７】
請求項１乃至６のいずれかに記載の地図帳において、
前現代地図ページを印刷する紙は透明度が５５％以上、７４％の以下のトレーシングペーパーであることを特徴とする地図帳。
【請求項８】
請求項１乃至７のいずれかに記載の地図帳において、
前記特定事物のうち、前記所定の時代の期間内において、場所が変動したものについては、前記所定の時代の期間の最後に存在した場所については、線を用いずに、色で塗りわけ、前記所定の時代の途中まで存在した場所については、黒色以外の色の点線を用いて印刷することを特徴とする地図帳。
【請求項９】
請求項８に記載の地図帳において、
前記特定事物のうち神社、仏閣、城郭を印刷するために用いる点線の色は、それぞれ異なる色を用いることを特徴とする地図帳。
【発明の詳細な説明】
【技術分野】
【０００１】
本発明は、現代の地図上の特定の地点に歴史上の所定の時代に、どのような建築物が存在していたかを、容易に把握することを可能とする地図帳に関する。
【背景技術】
【０００２】
人は、歴史的な観光地を旅行するときに、現在の特定の場所に、歴史上のある時代には、どのような建築物が存在していたかを知ろうとする。そして、現在の特定の場所に、歴史上の所定の時代には、どのような建築物が存在していたかを知ることにより、歴史上の所定の時代に存在した人物、建築物に思いを寄せ、その歴史上の所定の時代を身近に感じる。
【０００３】
このようは体験をするためには、現代の地図と特定の時代に存在していた建築物等が印刷された地図である所謂古地図とを比較する必要がある。
【０００４】
しかしながら、古地図と現代の地図とでは、縮尺や表示方法が異なるために、対比することが困難または面倒な場合が多い。歴史の研究者のような人はともかく、一般的な人間は、対比作業が困難であったり、面倒である場合には、あえて対比することを諦めてしまう。古地図と現代の地図との対比を可能とする従来の地図帳は提案されているものの、簡単に対比でき、一見して対比結果が理解できるようなものは見当たらない。
【０００５】
【特許文献１】特開平８−１４２４９０
【発明の開示】
【発明が解決しようとする課題】
【０００６】
そこで、本発明では、現在の特定の場所に、歴史上の所定の時代には、どのような建築物等が存在していたかを対比することが簡単にでき、一見して対比結果の理解を可能とする地図帳を提供することを目的とする。
【課題を解決するための手段】
【０００７】
請求項１に記載の発明は、所定の時代の古地図が印刷されたページ（以下「古地図ページ」ともいう）と半透明の紙に前記古地図と同じ縮尺で現代の地図が印刷されたページ（以下「現代地図ページ」ともいう）が重ねられた状態で綴じられた地図帳であって、
前記古地図ページにおいては道路および線路（以下「道路等」ともいう）は線を用いて印刷され、前記道路等以外の事物（以下「特定事物」ともいう）については線を用いずに色で塗りわけて印刷され、
前記現代地図ページは半透明の紙に、前記道路等は線を用いて印刷され、前記特定事物については線を用いずに色で塗りわけて印刷され、
前記地図帳を見開き状態にしたときには、左右のページとも、前記古地図ページのうえに、前記現代地図ページが、前記古地図ページと前記現代地図ページの対応する地点同士が重なるように綴じられ、
前記現代地図の特定の地点が、前記所定の時代の前記古地図のどの地点に対応するかが容易に判るように構成されていることを特徴とする。
【０００８】
請求項２に記載の発明は、請求項１に記載の地図帳に係り、
前記現代地図ページ上の前記特定事物を塗り分けるために使用する色は薄い色であることを特徴とする。
【０００９】
現代地図ページは古地図ページの上に重ねるので、薄い色にして、現代地図ページを古地図ページの上に重ねたときに、下の古地図ページの内容を見やすくするためである。
【００１０】
請求項３に記載の発明は、請求項１または２に記載の地図帳に係り、
前記現代地図ページ上の前記特定事物に含まれる物のなかで川と池については、薄い水色によって塗り分けて印刷されていることを特徴とする。
【００１１】
水色は「水」からなる「川」や「池」を連想させるからである。
【００１２】
請求項４に記載の発明は、請求項１乃至３のいずれかに記載の地図帳に係り、
前記古地図ページ及び前記現代地図ページの双方に、位置合わせマークが印刷され、前記古地図ページと前記現代地図ページとを、重ねたときに、前記位置合わせマークをあわせることにより、前記古地図ページと前記現代地図ページとにおいて、対応する地点が重なるように構成されていることを特徴とする。
【００１３】
位置合わせマークを合わせるだけで、古地図ページと現代地図ページを容易に正しくあわせられるようにしたものである。
【００１４】
請求項５に記載の発明は、請求項１乃至４のいずれかに記載の地図帳に係り、
前記現代地図ページ上に前記道路等を印刷するのに用いる線はスミ網５０％以上、８０％以下の濃度で印刷することを特徴とする。
【００１５】
現代地図ページを古地図ページの上に重ねたときに、道路等を表示する線の色が濃いと、下の古地図ページの内容が見にくく、煩雑な印象を生じさせるからである。
【００１６】
請求項６に記載の発明は、請求項１乃至５のいずれかに記載の地図帳に係り、
前記古地図ページ上に前記道路等を印刷するのに用いる線はスミ網９０％以上、１００％以下の濃度で印刷することを特徴とする。
【００１７】
古地図ページの上に、現代地図ページが重ねられたときに、古地図ページ上の道路等を表示する線の色が薄いと、現代地図ページを透して見にくくなるからである。
【００１８】
請求項７に記載の発明は、請求項１乃至６のいずれかに記載の地図帳に係り、
前現代地図ページを印刷する紙は透明度が５５％以上、７４％の以下のトレーシングペーパーであることを特徴とする。
【００１９】
現代地図ページを古地図ページの上に重ねたときに、現代地図ページを透して古地図ページの内容を見るためには、透明度が５５％以上、７４％の以下のトレーシングペーパーが好適だからである。
【００２０】
請求項８に記載の発明は、請求項１乃至７のいずれかに記載の地図帳に係り、
前記特定事物のうち、前記所定の時代の期間内において、場所が変動したものについては、前記所定の時代の期間の最後に存在した場所については、線を用いずに、色で塗りわけ、前記所定の時代の途中まで存在した場所については、黒色以外の色の点線を用いて印刷することを特徴とする。
【００２１】
一般的には、所定の時代の期間内においては、神社や仏閣等の存在した場所は、一定である場合が多いが、戦国時代のような特殊な時代には、相当数の神社や仏閣の存在場所がその時代内において、相当に変化したような時代もある。このような所定の時代の期間内における特定事物の存在場所についての変化は、その時代の特徴を印象付けるので、地図を、その変化を容易に把握できるものにすることにより、地図を見る読者に、その時代の特徴をより身近に感じさせ、印象付けることができる。
【００２２】
請求項９に記載の発明は、請求項８に記載の地図帳に係り、
前記特定事物のうち神社、仏閣、城郭を印刷するために用いる点線の色は、それぞれ異なる色を用いることを特徴とする。
【００２３】
神社、仏閣、城郭を印刷するために用いる点線の色を変えることによって、地図を見る読者は、神社、仏閣、城郭を容易に判別することができる。
【発明の効果】
【００２４】
本発明に係る地図帳によれば、現在地図の特定の地点が、歴史上の所定の時代の古地図のどの地点に対応するのかを、簡単な作業で、かつ、明確に把握することができる。その結果、観光地を訪れるときに、本地図帳を参照することにより、現実の場所から、歴史的な建築物や場所から連想される歴史的人物や、歴史的な事物に思いを寄せることができる。したがって、単に地図帳としての価値が高まるだけではなく、間接的な効果として、歴史的な地点への観光客数を増大させる効果があり、観光産業の発展に寄与する。
【発明を実施するための最良の形態】
【００２５】
以下、図を参照しつつ、発明を実施するための最良の形態につき説明する。
図１は本発明の実施の形態に係る地図帳の概略を示す斜視図である。
図１において、１０１は現代地図ページであり、１０２は現代地図ページ上の道路であり、１０３は現代地図ページ上の前記特定事物であり、１０４は現代地図ページ上の川であり、１０５は位置合わせマークであり、１３１は古地図ページであり、１３２は古地図ページ上の道路であり、１３３は古地図ページ上の特定事物であり、１３４は古地図ページ上の川であり、１３５は位置合わせマークである。
【００２６】
図２は本発明の実施の形態に係る地図帳の古地図ページの概略を示す平面図である。
【００２７】
図３は本発明の実施の形態に係る地図帳の現代地図ページを示す平面図である。
現代地図ページ１０１は半透明の紙に現在の道路、建築物等が記載されたページである。現代地図ページ１０１において、道路１０２及び川１０４は線を用いて記載されているが、道路以外の特定事物１０３は線を用いずに、色で塗りわけられている。
【００２８】
なお、図３においては、道路等以外の特定事物１０３も線を用いて記載されているが、これは、図３を色を用いて記載できないためであり、本発明の実施の形態に係る実際の地図帳においては、線を用いないで色で塗り分けられている。他の図についても同様である。
【００２９】
図４は本発明の実施の形態に係る地図帳の現代地図ページを、古地図ページの上に重ねたものの平面図である。
古地図ページ１３１は通常の紙に歴史上の所定の時代の道路、建築物等が記載されたページである。古地図ページ１３１においても、道路１３２と川１３４は線を用いて記載されているが、道路等以外の事物等１３３は線を用いずに、色で塗りわけられている。
現代地図ページ１０１と古地図ページ１３１において、道路、川については線を用いて記載し、道路等以外の事物等については線を用いずに、色で塗りわけている理由は、現代地図ページ１０１と古地図ページ１３１とを重ねたときに、特定事物である建物又は敷地等の範囲も線で記載すると、線と線とが複雑に重なることが多く、このような場合には、重なった個々の線について、現代地図ページ１０１上の線であるか、古地図ページ１３１上の線であるかを、個々に見分ける必要が生じて、直感的な理解を妨げ、煩雑な印象を生じさせることになるからである。
【００３０】
道路等について、線を用いて印刷する理由は、道路や川は地図を見る際には、最も重要な指標となるものであり、道路や川については、線描きであると決めておくことにより直感的に理解するのに有用だからである。また、道路や川は現代地図ページと古地図ページにおいて、時代による変化が比較的少なく、現代地図ページと古地図ページにおいて、一致していることが多く、現代地図ページと古地図ページを重ねた場合に、線と線とが重なって煩雑となる場合が少ない点をも考慮したものである。
【００３１】
また、川は薄い水色によって塗り分けられている。水色を使用する理由は「水色」は人に液体の「水」を連想させ、地図上の線状の「水色」は「川」を連想させ、直感的な理解に役立つからである。「薄い水色」とした理由は、紙に塗られた色は重ねると濃くなる性質があり、通常の濃さの色を重ねると色が濃くなり過ぎて、見にくくなるからである。
【００３２】
また、前記現代地図ページ上の道路を記載するのに用いる線はスミ網略５０％以上、８０％以下の濃度で印刷する。スミ網略５０％以上、８０％以下の濃度で線を印刷すると前記現代地図ページを前記古地図ページの上に重ねたときに目に与える影響が良いからである。前記古地図ページ上の道路を記載するのに用いる線はスミ網略９０％以上、１００％以下の濃度で印刷する。前記古地図ページについては、その上に前記現代地図ページを重ねるので、線の濃さが薄いと、線が見え難くなるからである。
【００３３】
現代地図ページ１０１と古地図ページ１３１には、それぞれのページに位置合わせマーク１０５と１３５が設けられている。現代地図ページ１０１上の位置合わせマーク１０５と古地図ページ１３１上の位置合わせマーク１３５と、を合わせれば、ページ全体が簡単に合わせられるようにしたものである。
【００３４】
次に、所定の時代の途中で、特定事物の位置が変わってしまった場合について説明する。
【００３５】
図５は、所定の時代の途中で一部の特定事物の場所が変化した場合の古地図ページの平面図である。
図５において、５０４は特定事物に属する仏閣が所定の時代の途中まで存在していた場所であり、５０５は場所５０４に存在していた該仏閣が、所定の時代の最後に存在していた場所である。場所５０４は点線で印刷されている。これは、該仏閣は、所定の時代の途中まで、この場所に存在していたが、所定の時代の最後には、場所が変わってしまったことを示している。地図帳の読者は、この点線の表示により、この仏閣の位置が変わってしまったという事実と、この事実から、この所定の時代の変化の激しさと、この仏閣の位置の変遷に関係した歴史上の人物の心情を現在の実際の場所と関連付けながら思いを寄せることができ、この所定の時代に仮想的に旅行しているような気持ちを味わえる。
【００３６】
本発明の実施の形態に係る地図帳によると、現在の特定の地点が、歴史上の所定の時代において、いかなる地点に対応するかを容易、かつ、直感的に把握することができる。その結果、読者は歴史に対する興味が湧きたてられて、歴史的な観光地を訪れる人の数が増加し、観光産業の発達に寄与する。
【図面の簡単な説明】
【００３７】
【図１】本発明の実施の形態に係る地図帳の概略を示す斜視図である。
【図２】本発明の実施の形態に係る地図帳の古地図ページを示す平面図である。
【図３】本発明の実施の形態に係る地図帳の現代地図ページを示す平面図である。
【図４】本発明の実施の形態に係る地図帳の現代地図ページが、古地図ページの上に重ねられた様子を示す平面図である。
【図５】所定の時代の途中で一部の特定事物の存在場所が変化した場合の古地図ページを示す平面図である。
【符号の説明】
【００３８】
１０１      現代地図ページ
１０２      現代地図ページ上の道路
１０３      現代地図ページ上の建物又は敷地の範囲
１０４      現代地図ページ上の川
１０５      現代地図ページ上の位置合わせマーク
１３１      古地図ページ
１３２      古地図ページ上の道路
１３３      古地図ページ上の建物又は敷地の範囲
１３４      古地図ページ上の川
１３５      古地図ページ上の位置合わせマーク
【図１】
2008256807.tif 000003
【図２】
2008256807.tif 000004
【図３】
2008256807.tif 000005
【図４】
2008256807.tif 000006
【図５】
2008256807.tif 000007